(57)【要約】【課題】フルフェイス型マスク用の着用具に対して頭部へのフィット性が向上するように改良を施す。【解決手段】フルフェイス型マスク用の着用具１が一対の上方連結部２３と一対の下方連結部２４とを有する。各連結部２３，２４は、マスクに連結される先端部分とその反対側の基端部分を有し、基端部分のそれぞれがマスク着用者の頭部に後方から当接可能なシート状中枢部分２１に集結する。中枢部分２１は、弾性的に伸長・収縮可能であり、上方連結部２３の基端部分２７ａどうしは、これら両部分２７ａの間隔の拡大を抑えることが可能な実質的に非伸長性の抑制手段４１を介してつながれる。【選択図】図３
2007029524.tif 000002
【特許請求の範囲】
【請求項１】
フルフェイス型マスクを前記マスクの着用者顔面に密着させることが可能であり、前記マスクの上方部分の両側それぞれに対して取り外し可能に連結される一対の上方連結部と、前記マスクの下方部分の両側それぞれに対して取り外し可能に連結される一対の下方連結部とを有するフルフェイス型マスク着用具であって、
一対の前記上方連結部と一対の前記下方連結部との各連結部が前記マスクに連結される先端部分と前記先端部分の反対側である基端部分とを有していて、前記先端部分が前記マスクに対して取り外し可能であって、前記基端部分のそれぞれが前記着用者の頭部に後方から当接可能なシート状中枢部分に集結しており、
前記中枢部分は、前記頭部の上下方向と横方向とに弾性的に伸長・収縮可能であり、
一対の前記上方連結部の基端部分どうしは、前記頭部の横方向における間隔の拡大を抑えることが可能な実質的に非伸長性の抑制手段を介してつながれており、
前記上方連結部が実質的に非伸長性である一方、前記下方連結部が弾性的に伸長・収縮可能であることを特徴とする前記着用具。
【請求項２】
前記中枢部分は、前記上下方向の頂部に前記上方連結部の基端部分どうしの間に延びる頂縁部を有し、前記抑制手段が前記頂縁部を実質的に非伸長性にすることにより形成されている請求項１記載の着用具。
【請求項３】
前記中枢部分は、前記上下方向の頂部に前記上方連結部の基端部分どうしの間に延びる頂縁部を有し、前記抑制手段が前記中枢部分とは別体であって前記頂縁部に対して離間並行して前記上方連結部の基端部分どうしの間に延びる実質的に非伸長性の帯状材料によって形成されている請求項１記載の着用具。
【請求項４】
前記上方連結部は、長さが固定されていて、前記下方連結部が長さ調節可能である請求項１〜３のいずれかに記載の着用具。
【発明の詳細な説明】
【技術分野】
【０００１】
この発明は、防塵用マスクや防毒用マスク等として使用されるフルフェイス型マスクをマスク着用者の顔面に密着させることが可能な着用具に関する。
【背景技術】
【０００２】
従来、フルフェイス型マスクを着用するための締めひもやヘッドバンド等の着用具は周知である。例えば、特開２０００−１０２６２４号公報（特許文献１）には、そのような着用具として、固定部材から枝分かれして延びる２本の非伸縮性のヘッドバンド部と２本の伸縮性のテープ部とからなる四つの連結部位を有するものが開示されている。
【特許文献１】特開２０００−１０２６２４号公報
【発明の開示】
【発明が解決しようとする課題】
【０００３】
特許文献１の実施例では、ヘッドバンド部と固定部材とがポリエチレン樹脂を用いて一体成形されている。一対のヘッドバンド部は、マスク着用者の頭部に上方から圧接するものであり、固定部材は着用者の頭部に後方から圧接するものであって、一対のヘッドバンド部は固定部材からＶ字形を画いてマスクの周縁部にまで延びている。かような着用具は、一対のヘッドバンド部と一対のテープ部とをマスクに連結するものであるから、さらに多くのヘッドバンド部やテープ部を有する着用具に比べてマスクの着用が容易である。しかし、その反面、ヘッドバンド部と固定部材とは、ポリエチレン樹脂で形成されていて比較的剛性が高く、これらの部位が頭部にフィットし難く、ヘッドバンド部がずれ易いとか、顔面に密着させたはずのマスクが顔面に対して動き易いという問題が生じかねない。
【０００４】
この発明が課題とするところは、フルフェイス型マスクを着用するときに、四つの部位でそのマスクに連結される着用具に対して、その着用具の頭部へのフィット性が向上するように改良を施すことにある。
【課題を解決するための手段】
【０００５】
前記課題を解決するために、この発明が対象とするのは、フルフェイス型マスクを前記マスクの着用者顔面に密着させることが可能であり、前記マスクの上方部分の両側それぞれに対して取り外し可能に連結される一対の上方連結部と、前記マスクの下方部分の両側それぞれに対して取り外し可能に連結される一対の下方連結部とを有するフルフェイス型マスク着用具である。
【０００６】
かかる着用具において、この発明が特徴とするところは、次のとおりである。一対の前記上方連結部と一対の前記下方連結部との各連結部が前記マスクに連結される先端部分と前記先端部分の反対側である基端部分とを有している。前記先端部分は前記マスクに対して取り外し可能であって、前記基端部分のそれぞれは前記着用者の頭部に後方から当接可能なシート状中枢部分に集結している。前記中枢部分は、前記頭部の上下方向と横方向とに弾性的に伸長・収縮可能である。一対の前記上方連結部の基端部分どうしは、前記頭部の横方向における間隔の拡大を抑えることが可能な実質的に非伸長性の抑制手段を介してつながれており、前記上方連結部が実質的に非伸長性である一方、前記下方連結部が弾性的に伸長・収縮可能である。
【０００７】
この発明の実施態様の一つにおいて、前記中枢部分は、前記上下方向の頂部に前記上方連結部の基端部分どうしの間に延びる頂縁部を有し、前記抑制手段が前記頂縁部を実質的に非伸長性にすることにより形成されている。
【０００８】
この発明の実施態様の他の一つにおいて、前記中枢部分は、前記上下方向の頂部に前記上方連結部の基端部分どうしの間に延びる頂縁部を有し、前記抑制手段が前記中枢部分とは別体であって前記頂縁部に対して離間並行して前記上方連結部の基端部分どうしの間に延びる実質的に非伸長性の帯状材料によって形成されている。
【０００９】
この発明の実施態様の他の一つにおいて、前記上方連結部は、長さが固定されていて、前記下方連結部が長さ調節可能である。
【発明の効果】
【００１０】
この発明に係る着用具では、一対の上方連結部と一対の下方連結部とが、それらの基端部分において弾性的に伸長・収縮可能なシート状の中枢部分に集結している。マスクを着用するときに、連結部のそれぞれは、それに張力が作用すると、その張力が中枢部分に及んで中枢部分が弾性的に伸長したり収縮したりするので、互いの動きに影響を及ぼすことがなく、マスク着用者の頭部によくフィットする。また、上方連結部は基端部分どうしが非伸長性の抑制手段を介してつながれているから、マスクを着用したときに、上方連結部どうしの間に頭部が深く入り込んでしまうということがない（請求項１に対応）。
【００１１】
非伸長性の抑制手段は、中枢部分の頂縁部に設けることができる（請求項２に対応）。
【００１２】
非伸長性の抑制手段は、中枢部分とは別体の非伸長性帯状材料で上方連結部における基端部分どうしをつなぐことによって形成することもできる（請求項３に対応）。
【００１３】
上方連結部の長さが固定され、下方連結部のみが長さ調節可能であると、マスクを着用するときに、一対の下方連結部のみの長さを調整すればよいから、マスクの着用が容易である。マスクを着用するときに、下方連結部の伸長量が足りないときには、中枢部分が伸長することによって、その伸長量を補うことができる（請求項４に対応）。
【発明を実施するための最良の形態】
【００１４】
添付の図面を参照してこの発明に係るフルフェイス型マスク着用具の詳細を説明すると、以下のおとりである。
【００１５】
図１，２は、フルフェイス型マスク着用具１の使用状態が示された図であって、図１は、着用具１を使用してフルフェイス型マスク２を着用したときの着用具１の側面図であり、図２は図１の着用具１とマスク２との頂面図である。図１，２には、着用者の頭部３が仮想線で示されている。
【００１６】
マスク２は、透明なフェイスシールド部６と、フェイスシールド部６と一体を成しており着用者の顔面に密着可能な接顔部７とを有する。フェイスシールド部６は、透明な硬質プラスチックで形成されていて、フィルタ（図示せず）を着脱可能であって吸気用逆止弁８が取り付けられている吸気孔９と、排気用逆止弁（図示せず）が取り付けられている排気孔１１と、伝声器１２とを有する。接顔部７は、合成ゴム等の柔軟弾性材料で形成されており、後方周縁部１３のうちで頭部３の側部それぞれに位置する部分から頭部３の上部後方へ向かって延びる一対の上方延出部１６と、頭部３の下部後方へ向かって延びる一対の下方延出部１７とを有し、それぞれの延出部１６，１７には、マスク２の外側へ向かって延びる突起１８，１９が形成されている。
【００１７】
着用具１は、頭部３の上下方向と横方向とに広がり、頭部３に後方から密着可能な当て布として作られたシート状の中枢部分２１を有する。中枢部分２１は、その上方にマスク２の上方延出部１６に向かって延びる一対の上方連結部２３を有し、下方にマスク２の下方延出部１７に向かって延びる一対の下方連結部２４を有する。かような中枢部分２１は、一対の上方連結部２３と一対の下方連結部２４とが集結する部分ということができる。上方連結部２３は、その先端に上方延出部１６の突起１８が離脱可能に嵌合している上方嵌合部材２６を有し、その上方嵌合部材２６と中枢部分２１との間に上方バンド部２７を有する。下方連結部２４は、その先端に下方延出部１７の突起１９が離脱可能に嵌合している下方嵌合部材２８を有し、その下方嵌合部材２８と中枢部分２１との間に下方バンド部２９を有する。
【００１８】
図３，４は、着用具１の平面図であるが、図３では、下方バンド部２９が頭部３の横方向（図における左右方向）へ伸長された状態にあり、図４では、その下方バンド部２９が収縮した状態にあって、中枢部分２１の底縁部３１にギャザー３２が生じている。中枢部分２１は、頭部３の上方において横方向へ延びる頂縁部３６と、下方において横方向へ延びる底縁部３７と、頂縁部３６と底縁部３７との間に延びる両側縁部３８とを有する。頂縁部３６の両端部分それぞれからは上方連結部２３が延出している。また、側縁部３８が底縁部３７と交差する部位の近傍からは、下方連結部２４が延出している。中枢部分２１は、上下方向と横方向とに弾性的に伸長・収縮可能なシート材料３５によって形成されるもので、好ましくはそのシート材料３５が図示例の如くシート材料３５ａとシート材料３５ｂとの２枚からなり、これらが重ね合わせられて互いの周縁部で縫合される。上下方向と横方向とに伸長・収縮可能な中枢部２１は、頭部３の曲面形状に対してよくフィットする。但し、中枢部分２１では、頂縁部３６に沿って縫合された非伸長性の帯片４１が一対の上方連結部２３をつなぐように延びており、頂縁部３６は横方向へ実質的な意味において伸長することがない。したがってまた、一対の上方連結部２３では、中枢部分２１に縫合されている上方バンド部２７の基端部分２７ａどうしの間隔が、マスク２の着用中に大きくは広がらない。
【００１９】
上方連結部２３は、嵌合部材２６が硬質プラスチックで形成されており、その嵌合部材２６は、突起１８に係止するためと上方バンド部２７を挿通するために使用される透孔４２と、上方バンド部２７を掛け回すために使用される掛回部４３とを有する。その上方バンド部２７は、非伸長性であるか、または多少伸長することがあってもその伸長量は中枢部分２１や下方バンド部２９の伸長量ほどではなくて、マスク２を着用するときの妨げにならないという意味において、実質的に非伸長性であり、嵌合部２６の反対側である基端部分２７ａが中枢部分２１に対して縫合されている。
【００２０】
下方連結部２４は、中枢部分２１の底縁部３７に対して伸長状態で縫合されている弾性的に伸長・収縮可能な１本の帯状材料を含み、その帯状材料のうちで側縁部３８のそれぞれから延出する部分が下方バンド部２９となっている。下方連結部２４の先端部分を成す嵌合部材２８は上方連結部２３の嵌合部材２６と同じものであるが、この嵌合部材２８には下方バンド部２９の自由端部２９ａが長さ調節可能に掛け回されている。また、その自由端部２９ａの先端２９ｂは折り重ねられたうえで縫合され、嵌合部材２８からの抜け止めとして機能している（図１を併せて参照）。下方連結部２４において、先端部分の反対側を成す基端部分は、中枢部分２１の側縁部３８近傍に位置する部分である。かような下方連結部２４は、マスク２を着用するときに頭部３の周り方向に伸長されて中枢部分２１とともに後頭部に密着し、それと同時にマスク２を着用者の顔面に密着させる。
【００２１】
このように形成された着用具１では、マスク２を着用するときに、下方連結部２４や中枢部分２１が弾性的に伸長・収縮して頭部３にフィットする一方、上方連結部２３や中枢部分２１の頂縁部３６、マスク２における接顔部７の後方周縁部１３が伸長しないか、または実質的に伸長することがない。したがって、マスク２を着用している間に、頭部３が上方連結部２３どうしの間に少しずつ進入して、マスク２の着用状態が次第に悪くなるということがない。
【００２２】
図示例において、中枢部分２１の頂縁部３６を非伸長性ないし実質的に非伸長性にするには、帯片４１を頂縁部３６に縫合することに代えて、中枢部分２１を形成しているシート材料３５を頂縁部３６において折り重ねて縫合し、頂縁部３６を中枢部分２１のその他の部位よりも伸長し難くしてもよい。また、下方連結部２４における左右の下方バンド部２９は、１本の長い帯状材料で形成することに代えて、下方バンド部２９のそれぞれを別体の短い帯状材料で形成し、その短い帯状材料のそれぞれを中枢部分２１の側縁部３８に縫合してもよい。さらには、図示例においてほぼ四角形である中枢部分２１の形状は、適宜の形状、寸法のものに代えることが可能である。中枢部分２１には、弾性的に伸長・収縮可能なシート材料であれば織布やゴムシート等どのようなものを使用してもよいが、そのシート材料として通気性のメッシュ生地を使用すれば、中枢部分２１で頭部３の広い面積を覆っても頭部３はむれることがない。
【００２３】
図５は、実施態様の一例を示す図３と同様な図である。この着用具１では、頂縁部３６を含む中枢部分２１の全体が弾性的に伸長・収縮可能に形成されている。ただし、上方連結部２３の上方バンド部２７どうしは、それらの間隔が拡大することを抑制するための手段である非伸長性、または実質的に非伸長性の帯片５１によってつながれている。かような着用具１でも、上方連結部２３や下方連結部２４、中枢部分２１が頭部３によくフィットし、またマスク２を着用している間に頭部３が上方連結部２３どうしの間に次第に深く進入していくということがない。
【産業上の利用可能性】
【００２４】
この発明によれば、一対の上方連結部と一対の下方連結部とをフルフェイス型マスクに連結させてそのマスクを着用するための着用具であって、それぞれの連結部が頭部に対してよくフィットする着用具の製造が可能になる。
【図面の簡単な説明】
【００２５】
【図１】使用状態にある着用具の側面図。
【図２】使用状態にある着用具の頂面図。
【図３】着用具の部分破断平面図。
【図４】下方連結部が収縮した状態にある図３と同様な図。
【図５】実施態様の一例を示す図３と同様な図。
【符号の説明】
【００２６】
１    着用具
２    マスク
２１    中枢部分
２３    上方連結部
２４    下方連結部
２６    先端部分（嵌合部分）
２７ａ    基端部分
４１    抑制手段（帯片）
５１    抑制手段（帯片）
【図１】
2007029524.tif 000003
【図２】
2007029524.tif 000004
【図３】
2007029524.tif 000005
【図４】
2007029524.tif 000006
【図５】
2007029524.tif 000007